(57)【特許請求の範囲】
【請求項１】
シャッタカーテンの閉鎖側先端に位置する下端スラットに座板を設け、該座板の両端部先端面に鍵取付け金具を設けると共に該鍵取付け金具間の隙間を埋める様補助座板を設け、前記鍵取付け金具にガイドレールに出入りする係止片を有する鍵を設け、前記ガイドレールの閉鎖側先端に前記シャッタカーテンと対向する面が開放されたボックス形状のボックス部と、該ボックス部の底面から延出した舌片から構成されたボックス金具を設け、前記ボックス部は前記係止片が挿入可能となる様前記ガイドレールの溝に収納される様に配置され、前記舌片は前記ガイドレールの外部に位置し、前記鍵取付け金具が閉鎖時に当接する被当接部に固着されたことを特徴とするシャッタの施錠装置。
【請求項２】
前記ボックス金具は、前記シャッタカーテン及び前記ガイドレールと干渉しない形状である請求項１のシャッタの施錠装置。
【請求項３】
前記鍵と前記ボックス金具が対向する位置にある請求項１のシャッタの施錠装置。
【発明の詳細な説明】
【０００１】
【発明の属する技術分野】
本発明はシャッタの施錠装置、特に軽量シャッタ或は窓シャッタの施錠装置に関するものである。
【０００２】
【従来の技術】
図５に於いて軽量シャッタ及び該軽量シャッタに設けられた従来のシャッタの施錠装置について説明する。
【０００３】
出入口の柱（図示せず）にガイドレール１，１が設けられ、該ガイドレール１，１に沿ってシャッタカーテン２が昇降可能に設けられている。前記ガイドレール１，１の上端にはブラケット３，３が建屋壁面に取付けられ、該両ブラケット３，３に掛渡って巻取りシャフト４が固着されている。該巻取りシャフト４には巻取りホイール５が回転自在に軸着され、該巻取りホイール５に前記シャッタカーテン２の上端が固着されている。又、前記巻取りシャフト４と巻取りホイール５との間にはバランススプリング６が設けられ、該バランススプリング６は前記巻取りホイール５を前記シャッタカーテン２の巻取り方向に付勢し、該シャッタカーテン２と前記バランススプリング６の巻取り力がバランスする様になっている。
【０００４】
前記シャッタカーテン２の中段よりやや下方に、シャッタの施錠装置７が設けられている。
【０００５】
該施錠装置７について説明する。
【０００６】
中央に鍵部８が設けられ、該鍵部８の中央にはシリンダキー９によって回転されるリンク（図示せず）が設けられ、該リンクに左右水平方向に延びるロックバー１０，１０が連結されている。該ロックバー１０はガイド部１１により、摺動自在に支持され、前記リンクの回転により、逆方向のスライド変位をする様になっている。
【０００７】
而して、前記シリンダキー９により、前記リンクを介して前記ロックバー１０を前記シャッタカーテン２の幅端より突出方向にスライドさせると、前記ロックバー１０の鍵部１６（後述）がシャッタカーテン２に設けられた係合歯部１５（後述）と係合して前記シャッタカーテン２が施錠される様になっている。
【０００８】
図６、図７により前記係合歯部１５、鍵部１６について説明する。
【０００９】
前記シャッタカーテン２の底面（シャッタカーテン２の端部に対向する面）に所定のピッチで所要の長さに亘って半円状の係合歯１５ａが抜起され、前記係合歯部１５が形成される。又、前記ロックバー１０の先端部には前記係合歯１５ａに噛合可能な突歯１６ａが所要枚数（図では３枚）フォーク状に形成され、該突歯１６ａにより前記鍵部１６が形成されている。而して、前記シャッタカーテン２が閉鎖状態で、前記ロックバー１０が突出することで、前記鍵部１６が前記係合歯部１５に係合して施錠される様になっている。
【００１０】
【発明が解決しようとする課題】
上記した施錠装置に於いては、複数人の人力による開放、或は台風時等の強風に対して充分な対抗力で施錠され、鍵が開放或は破壊されるということはない。
【００１１】
然し乍ら、前記シャッタの施錠装置の強度は前記シャッタカーテン２を構成するスラット、ガイドレール１自体の強度にも制約を受け、バール等の道具を用いてこじ開ける力に対しては、スラット或はガイドレール１の変形等で前記係合歯部１５と鍵部１６との噛合が外れる可能性があり、防犯上より強い対抗力を有する施錠装置が望まれていた。
【００１２】
本発明は斯かる実情に鑑み、簡単な構造で強固なシャッタの施錠装置を提供しようとするものである。
【００１３】
【課題を解決するための手段】
本発明は、シャッタカーテンの閉鎖側先端にガイドレールに出入りする係止片を有する鍵を設け、前記ガイドレールの閉鎖側先端に前記係止片が挿入可能なボックス金具の少なくとも一部が配置され、該ボックス金具を前記シャッタカーテンの閉鎖側先端部が閉鎖時に当接する被当接部に固着したシャッタの施錠装置に係るものである。
【００１４】
【発明の実施の形態】
以下、図面を参照しつつ本発明の実施の形態を説明する。
【００１５】
尚、図１〜図４中、図５〜図６中で示したものと同等のものには同符号を付してあり、又シャッタの構造については同様であるので説明を省略する。
【００１６】
シャッタカーテン２の閉鎖側先端である下端には下端部が建屋内側に水平に折曲げられ略Ｌ字状をした下端スラット２０が取付けられ、該下端スラット２０に下端部が外側に折曲げられ対称Ｌ字状をした座板２１がリベット等の係着手段により固着され、前記座板２１は通常市販されている工具では取外せない様になっている。
【００１７】
該座板２１の両端部下面には逆Ｌ字状の鍵取付け金具２２がリベット２３等の係着手段により前記座板２１に固着され、前記鍵取付け金具２２にシリンダキー２４が取付けられる。該シリンダキー２４は屋外側から鍵（図示せず）が挿入される様になっており、前記シリンダキー２４に挿入された鍵（図示せず）を回転させることで、係止片２５がガイドレール１の溝内に向けて出入りし、後述するボックス金具２７に出入り可能となっている。
【００１８】
前記鍵取付け金具２２と鍵取付け金具２２との間には補助座板２６がリベット等の係着手段により前記座板２１に固着されている。前記座板２１は前記鍵取付け金具２２と同一の断面形状をし、両端部は該鍵取付け金具２２と干渉しない様な形状をし、該鍵取付け金具２２，２２間の隙間を閉塞している。
【００１９】
前記ガイドレール１の閉鎖側先端である下端には前記ボックス金具２７の一部が嵌入配置され、該ボックス金具２７はアンカボルト２８により、床に固着される。
【００２０】
前記ボックス金具２７は図４に示される様に、前記ガイドレール１の溝幅と略同幅を有し、前記シャッタカーテン２と対向する面及び屋内側の面が開放されたボックス部２７ａと、該ボックス部２７ａの底面から延出した舌片２７ｂから構成され、該舌片２７ｂには前記アンカボルト２８が挿通する通孔２７ｃが穿設されている。前記ボックス部２７ａは前記ガイドレール１の閉鎖側先端である下端の内部に収納配置され、前記舌片２７ｂはガイドレール１の閉鎖側先端である下端の外部に位置し、前記ボックス金具２７は前記シャッタカーテン２、ガイドレール１と干渉しない形状となっている。
【００２１】
尚、説明を省略したが、前記シャッタカーテン２には従来の施錠装置７も設けられている。
【００２２】
以下、作用について説明する。
【００２３】
前記シャッタカーテン２の開閉作動時には前記シリンダキー２４を解錠し、前記係止片２５を前記シリンダキー２４内に収納させる。
【００２４】
施錠する場合は、前記シャッタカーテン２を完全に降下させる。この状態では、前記シリンダキー２４とボックス金具２７が対向した状態にあり、前記シリンダキー２４に鍵を挿入し回すことで、前記係止片２５が前記ボックス金具２７に挿入される。施錠は左右のシリンダキー２４についてそれぞれ行う。
【００２５】
前記シャッタカーテン２に引上げ力が作用すると前記係止片２５が前記ボックス金具２７に係合して前記シャッタカーテン２の開放が阻止される。
【００２６】
ここで、前記シャッタカーテン２に引上げ力が作用した場合の対抗力は前記シリンダキー２４と前記ボックス金具２７の強度により決定される。
【００２７】
該ボックス金具２７は前記係止片２５との係合部がボックス形状となっており、又床面に直接固着されるので、前記ボックス金具２７自体の強度、前記アンカボルト２８の強度を適宜設定することで、前記ガイドレール１自体の強度には制約されることなく、所望の強度が得られる。
【００２８】
更に、前記シリンダキー２４、係止片２５の強度については予想される引上げ力に対抗する充分な強度を持ったものを選択すればよく、更に、前記座板２１は前記下端スラット２０を補強するので、前記座板２１が所定の強度を有する様形状等を選択することで、前記シリンダキー２４とシャッタカーテン２との取付け強度も引上げ力に対して充分なものとすることができる。即ち、シャッタカーテンを構成するスラット自体の強度に制約されることなく、所望の強度が得られる。
【００２９】
尚、前記シリンダキー２４，２４の施錠と共に、前記施錠装置７も施錠することで防犯効果は更に向上することは言う迄もない。
【００３０】
又、シャッタカーテンの開閉方向は、上下方向、左右方向、水平方向、傾斜方向、或はこれらの複合した方向のいずれでもよい。更に、シャッタカーテンの開閉方向に応じ、ボックス金具が固着される場所は床、側壁、天井或はシャッタを構成する部材の１つである枠材等となる等、シャッタカーテンの閉鎖側先端部が当接する躯体側の被当接部となる。更に又、シャッタカーテンは、複数の短冊状のスラット材を連結して構成されたもの、複数のパネル材を連結して構成されたもの、複数のパイプ材を複数のリンク材にて連結して構成されたもの、１枚のパネル材にて構成されたもの、或はこれらの複合にて構成されたもの等のいずれでもよい。
【００３１】
又、上記シャッタの施錠装置は、建屋、前記ガイドレール１、シャッタカーテン２に変更を加える必要がないので、既存のシャッタにも追加施工することができる。尚、既存のシャッタに追加施工することで、閉鎖時の前記シャッタカーテン２の位置が前記鍵取付け金具２２の高さ分だけ上昇するが、前記係合歯部１５の上下方向の長さは前記鍵取付け金具２２の高さ分に対応するだけの余裕を持っており、本発明を既存のシャッタに追加施工をしても従来の施錠装置による施錠には何等支障はない。
【００３２】
本発明は、主として手動開閉式のシャッタに実施されるが、電動開閉式や自重閉鎖式（閉鎖時のみ自重）のシャッタにも実施可能であることは勿論である。
【００３３】
【発明の効果】
以上述べた如く本発明によれば、シャッタカーテンの閉鎖側先端にガイドレールに出入りする係止片を有する鍵を設け、前記ガイドレールの閉鎖側先端に前記係止片が挿入可能なボックス金具の少なくとも一部が配置され、該ボックス金具を前記シャッタカーテンの閉鎖側先端部が閉鎖時に当接する被当接部に固着した構成であるので、スラット、ガイドレール自体の強度に制約を受けることなく、充分な施錠力を発揮する。又、前記鍵、ボックス金具は後付けが可能であるので、既存のシャッタにも実施可能である等、種々の優れた効果を発揮する。
【図面の簡単な説明】
【図１】本発明の実施の形態を示す側面図である。
【図２】同前本発明の実施の形態を示す正面図である。
【図３】同前本発明の実施の形態を示すＡ−Ａ矢視図である。
【図４】該実施の形態に使用されるボックス金具を示す斜視図である。
【図５】従来の施錠装置を備えたシャッタの背面図である。
【図６】従来のシャッタの施錠装置の要部を示すＢ矢視部破断側面図である。
【図７】従来のシャッタの施錠装置の要部を示すＢ矢視部破断正面図である。
【符号の説明】
１          ガイドレール
２          シャッタカーテン
７          施錠装置
２１        座板
２２        鍵取付け金具
２４        シリンダキー
２５        係止片
２６        補助座板
２７        ボックス金具
【図１】
0004531192.tif 000002
【図２】
0004531192.tif 000003
【図３】
0004531192.tif 000004
【図４】
0004531192.tif 000005
【図５】
0004531192.tif 000006
【図６】
0004531192.tif 000007
【図７】
0004531192.tif 000008